(57)【要約】      （修正有）【課題】現在位置だけでなく別の位置の局地的な気象情報を取得できるとともに、気象予測の精度を向上させるために必要な費用や労力を軽減できる。【解決手段】ａ地点近傍の携帯端末からｂ地点近傍を気象予測地点として指定する操作入力があると、ＧＰＳ予測基地はｂ地点の基地局に対して少なくとも携帯端末をサーチさせるためのサーチ要求を送信する。当該基地局はサーチ要求を受信すると電波の届く一定区域内の携帯端末をサーチし、当該サーチされた携帯端末に対して測位情報及び気象予測に必要な情報を送信させるための送信要求を送信する。当該携帯端末は送信要求を受信するとＧＰＳ電波を受信し、自己測位情報及び気象予測に必要な情報を検出し、ＧＰＳ予測基地へ送信する。ＧＰＳ予測基地は受信した当該情報に基づいてｂ地点を含む区域の局地的な気象予測を行い、予測結果をデータベースに記録するとともに、ａ地点近傍の携帯端末へ配信する。【選択図】図３
2012242088.tif 000002
【特許請求の範囲】
【請求項１】
ネットワークに接続された基地局及びＧＰＳ予測基地と、前記基地局に接続可能な携帯端末とを備えた気象予測システムであって、
前記ＧＰＳ予測基地は、
ネットワークと接続して情報の送受信を行う通信部と、
前記基地局に対して少なくとも一定区域内の携帯端末をサーチさせるためのサーチ要求を送信するように前記通信部の制御を行う要求送出制御部と、
前記通信部で受信した前記携帯端末の自己測位情報及び気象予測に必要な情報に基づいて局地的な気象予測を行う気象予測処理部とを有し、
前記基地局は、
ネットワークと接続して情報の送受信を行う通信部と、
一定区域内の携帯端末と情報の送受信を行う無線送受信部と、
前記通信部において前記サーチ要求を受信すると、一定区域内の前記携帯端末のサーチを行うサーチ処理部と、
前記サーチ処理部においてサーチされた１以上の携帯端末に対して測位情報及び気象予測に必要な情報を送信させるための送信要求を送信するように前記無線送受信部の制御を行う要求送出制御部とを有し、
前記携帯端末は、
前記基地局に接続し、前記ＧＰＳ予測基地と情報の送受信を行う無線送受信部と、
ＧＰＳ衛星からのＧＰＳ電波を受信し、自己測位情報及び気象予測に必要な情報の検出を行うＧＰＳ部と、
前記無線送受信部において前記送信要求を受信すると、自己測位情報及び気象予測に必要な情報を検出するよう前記ＧＰＳ部の制御を行うとともに、当該検出された自己測位情報及び気象予測に必要な情報を前記ＧＰＳ予測基地へ送信するように前記無線送受信部の制御を行う通信情報結果処理部とを有すること
を特徴とする気象予測システム。
【請求項２】
前記携帯端末は、
気象予測地点を指定する操作入力が可能な操作部と、
前記操作部において気象予測地点を指定する操作入力があると、前記ＧＰＳ予測基地に対して当該指定地点の気象予測結果情報を送信させるための気象予測送信要求を前記ＧＰＳ予測基地へ送信するように前記無線送受信部の制御を行う要求送出制御部と、
前記無線送受信部において受信した前記気象予測結果情報の表示を行う表示部とを更に有するとともに、
前記通信情報結果処理部は更に前記気象予測結果情報を表示するように前記表示部の制御を行い、
前記ＧＰＳ予測基地は、
前記気象予測結果情報を記録するための気象予測記録部と、
前記気象予測結果情報を前記気象予測送信要求を行った携帯端末へ送信するように前記無線送受信部の制御を行う気象予測結果送出制御部とを有するとともに、
前記要求送出制御部は更に前記気象予測送信要求を受信した場合に、前記気象予測記録部に記録された気象予測結果情報の記録時からの保持時間が所定時間を経過していると判断した場合には、前記基地局に対して少なくともサーチ要求を送信するように前記通信部の制御を行うこと
を特徴とする請求項１に記載の気象予測システム。
【請求項３】
前記ＧＰＳ予測基地は、
前記気象予測記録部が前記気象予測結果情報を更新履歴として記録を行うこと
を特徴とする請求項１又は請求項２のいずれかに記載の気象予測システム。
【請求項４】
前記ＧＰＳ予測基地は、
定期的に、前記基地局に対して少なくとも前記サーチ要求を送信するように前記通信部の制御を行う要求送出制御部を有すること
を特徴とする請求項１乃至請求項３のいずれかに記載の気象予測システム。
【請求項５】
前記ＧＰＳ予測基地は、
１以上の基地局に対して少なくとも前記サーチ要求を送信するように前記通信部の制御を行う要求送出制御部を有すること
を特徴とする請求項１乃至請求項４のいずれかに記載の気象予測システム。
【請求項６】
前記基地局は、
日本各地に複数設けられていること
を特徴とする請求項１乃至請求項５のいずれかに記載の気象予測システム。
【請求項７】
前記携帯端末は、
前記表示部がタッチセンサを有するディスプレイ装置であり、前記タッチセンサに対応付けられた操作画像の表示を行うとともに、
前記操作部が前記操作画像であること
を特徴とする請求項１乃至請求項６のいずれかに記載の気象予測システム。
【請求項８】
前記携帯端末は、
前記気象予測結果情報の音声出力を行うスピーカを更に有すること
を特徴とする請求項１乃至請求項７のいずれかに記載の気象予測システム。
【請求項９】
基地局に接続し、ＧＰＳ予測基地と情報の送受信を行う無線送受信部と、
ＧＰＳ衛星からのＧＰＳ電波を受信し、自己測位情報及び気象予測に必要な情報の検出を行うＧＰＳ部と、
前記無線送受信部において自己測位情報及び気象予測に必要な情報に関する送信要求を受信すると、前記ＧＰＳ部において受信した自己測位情報及び気象予測に必要な情報をＧＰＳ予測基地へ送信するように前記無線送受信部の制御を行う通信情報結果処理部とを有すること
を特徴とする気象予測携帯端末。
【請求項１０】
気象予測位置を指定する操作入力が可能な操作部と、
前記操作部において気象予測地点を指定する操作入力があると、前記ＧＰＳ予測基地に対して当該指定地点の気象予測結果情報を送信させるための気象予測送信要求を前記ＧＰＳ予測基地へ送信するように前記無線送受信部の制御を行う要求送出制御部と、
前記無線送受信部において受信した前記気象予測結果情報の表示を行う表示部とを更に有するとともに、
前記通信情報結果処理部は更に前記気象予測結果情報を表示するように前記表示部の制御を行うこと
を特徴とする請求項９に記載の気象予測携帯端末。
【発明の詳細な説明】
【技術分野】
【０００１】
本発明は、気象予測システム及び気象予測携帯端末に関する。
【背景技術】
【０００２】
近年、日本各地で自然災害により甚大な被害が頻繁に発生しており、自然災害による被害への対策が必要となっている。
【０００３】
しかし、近年の予測技術の発展にあっても自然災害の発生を予測するのが困難な場合が多い。例えば、ゲリラ豪雨と呼ばれるような局地的豪雨では、雨雲が局地的に発生し、寿命が短く、正確な予測が難しい。
【０００４】
このような状況を踏まえ、様々な観測データを活用する技術により、気象予測の精度を改善するための技術が多数提案されている。
【０００５】
例えば、特許文献１乃至３には、ＧＰＳ電波を受信して現在位置における局所的な気象情報を取得することできる技術が記載されている。
特許文献１には、ＧＰＳ電波を受信して降水予測する技術が記載されている。また、特許文献２には、ＧＰＳ信号を受信して雲の有無を局所的に測定する技術が記載されている。さらに、特許文献３にはＧＰＳ電波を受信して高度による気圧の低下分を補正して低気圧の接近を検出して雨を予測する技術が記載されている。
【０００６】
また、特許文献４には、ＧＰＳ衛星を利用した単独測位を行うＧＰＳ基地局からその付近の局地的な気象情報を移動情報端末からの操作で取得することができる技術が記載されている。
【先行技術文献】
【特許文献】
【０００７】
【特許文献１】特開２０１０−６０４４４号公報
【特許文献２】特開２００７−１０４６０号公報
【特許文献３】特開平０９−９６６７９号公報
【特許文献４】特開２００２−１１２３３９号公報
【発明の概要】
【発明が解決しようとする課題】
【０００８】
しかしながら、上述の特許文献１乃至３に記載の技術では、現在位置における気象情報を取得することはできるものの、現在位置から離れた別の位置の局地的な気象情報を取得することはできないという問題があった。
【０００９】
また、上述の特許文献４に記載の技術では、局地的な気象予測の精度を改善するためには、対象となる地域を絞り込み、局地的にＧＰＳ基地局を設置することで、空間スケールの小さい現象に適合した気象予測システムとする可能性は考えられるものの、実現するとなると日本全国の気象予測をするために日本各地に数多くのＧＰＳ基地局を設置しなければならず、そのうえ予測精度を向上させるためにはＧＰＳ基地局の数をさらに増やしていかなければならず、莫大な費用と労力を費やすことになるという問題があった。
【００１０】
そこで本発明は、現在位置だけでなく別の位置からも局地的な気象情報を取得することができるとともに、気象予測の精度を向上させるために必要な費用や労力を軽減することができる気象予測システム及び気象予測携帯端末を提供することを目的とする。
【課題を解決するための手段】
【００１１】
本発明の気象予測システムは、
ネットワークに接続された基地局及びＧＰＳ予測基地と、前記基地局に接続可能な携帯端末とを備えた気象予測システムであって、
前記ＧＰＳ予測基地は、
ネットワークと接続して情報の送受信を行う通信部と、
前記基地局に対して少なくとも一定区域内の携帯端末をサーチさせるためのサーチ要求を送信するように前記通信部の制御を行う要求送出制御部と、
前記通信部で受信した前記携帯端末の自己測位情報及び気象予測に必要な情報に基づいて局地的な気象予測を行う気象予測処理部とを有し、
前記基地局は、
ネットワークと接続して情報の送受信を行う通信部と、
一定区域内の携帯端末と情報の送受信を行う無線送受信部と、
前記通信部において前記サーチ要求を受信すると、一定区域内の前記携帯端末のサーチを行うサーチ処理部と、
前記サーチ処理部においてサーチされた１以上の携帯端末に対して測位情報及び気象予測に必要な情報を送信させるための送信要求を送信するように前記無線送受信部の制御を行う要求送出制御部とを有し、
前記携帯端末は、
前記基地局に接続し、前記ＧＰＳ予測基地と情報の送受信を行う無線送受信部と、
ＧＰＳ衛星からのＧＰＳ電波を受信し、自己測位情報及び気象予測に必要な情報の検出を行うＧＰＳ部と、
前記無線送受信部において前記送信要求を受信すると、自己測位情報及び気象予測に必要な情報を検出するよう前記ＧＰＳ部の制御を行うとともに、当該検出された自己測位情報及び気象予測に必要な情報を前記ＧＰＳ予測基地へ送信するように前記無線送受信部の制御を行う通信情報結果処理部とを有すること
を特徴とする気象予測システムである。
【００１２】
本発明の気象予測携帯端末は、
基地局に接続し、ＧＰＳ予測基地と情報の送受信を行う無線送受信部と、
ＧＰＳ衛星からのＧＰＳ電波を受信し、自己測位情報及び気象予測に必要な情報の検出を行うＧＰＳ部と、
前記無線送受信部において自己測位情報及び気象予測に必要な情報に関する送信要求を受信すると、前記ＧＰＳ部において受信した自己測位情報及び気象予測に必要な情報をＧＰＳ予測基地へ送信するように前記無線送受信部の制御を行う通信情報結果処理部とを有すること
を特徴とする気象予測携帯端末である。
【発明の効果】
【００１３】
本発明によれば、現在位置だけでなく別の位置からも局地的な気象情報を取得することができるとともに、気象予測の精度を向上させるために必要な費用や労力を軽減することができる。
【図面の簡単な説明】
【００１４】
【図１】本発明の基本的構成に係るシステム図である。
【図２】携帯端末の構成を説明するブロック図である。
【図３】本発明の第１の実施形態に係る構成図である。
【図４】本発明の第２の実施形態に係る構成図である。
【図５】気象予測結果情報の確認画面の表示例を示す模式図である。
【図６】付記１の構成図である。
【発明を実施するための形態】
【００１５】
以下、本発明の実施形態について図面を参照して説明する。
図１は本発明の基本的構成に係るシステム図、図２は携帯端末１０１の構成を説明するブロック図である。
【００１６】
図１に示すように、本発明に係る気象予測システムは、基本的構成として、ネットワーク１２４に通信可能に接続された基地局１１９及びＧＰＳ予測基地１２１と、基地局１１９に通信可能に接続可能な携帯端末１０１とを備える。
【００１７】
ここで、携帯端末１０１はＧＰＳ電波を受信する機能を有する携帯端末装置又はシステムであり、例えば携帯電話機、ＰＨＳ、携帯情報端末等の携帯機器、カーナビシステム等のナビシステム、その他のＧＰＳ電波を受信する機能を有する携帯端末装置及びシステム等が該当する。以下では、携帯端末１０１として携帯情報端末に適用して説明する。
【００１８】
ネットワーク１２４は公衆回線網等の広域通信ネットワークであり、複数のネットワークサーバ１２０を中継点としている。また、有線ネットワークに限らず、無線ネットワークも含まれる。
【００１９】
携帯端末１０１は、図２に示すように、制御部１０４、アンテナ１０２、無線送受信部１０３、スピーカ１０５、マイクロホン１０６、操作部１０７、表示部１０８、内部記憶部１０９、音楽再生処理部１１０、充電電源制御部１１１、充電式電池１１２、非接触通信処理部１１３、カメラ部１１４、ＧＰＳ部１１５、外部記憶部１１６、ＤＴＶ部１１７等を備える。
【００２０】
制御部１０４は携帯端末１０１の本来の動作に必要な各種の制御処理及び演算処理を行う他、気象予測システムの動作に必要な各種の制御処理等を行う装置であり、図示しないが、ＣＰＵ、ＲＡＭ及びＲＯＭ等から構成されている。
ＣＰＵは中央処理装置であり、各種のプログラム、データ等を読込み、制御処理及び演算処理を実行する。ＲＡＭはランダムアクセスメモリであり、ＣＰＵが読み込むプログラム及びデータを一時的に記憶するワーキングメモリとして使用される。ＲＯＭはリードオンリメモリであり、各種の制御プログラム及びデータを製造時（又は出荷時）から記憶している。
【００２１】
制御部１０４には、図２に示すように、処理部１０４ａ、通信情報結果処理部１０４ｂ、要求送出制御部１０４ｃ等が含まれている。
処理部１０４ａは、後述する無線送受信部１０３において情報を受信すると、当該情報を各部において処理可能となるように編集、加工、変換等の処理を行い、通信情報結果処理部１０４ｂへ送信する処理を行う。例えば、無線送受信部１０３において自己測位情報及び気象予測に必要な情報に関する送信要求を受信すると、通信情報結果処理部１０４ｂにその旨を送信する処理を行う。また、無線送受信部において受信した気象予測結果情報を表示部１０８において表示可能となるように編集、加工、変換等の各種処理を行う。
通信情報結果処理部１０４ｂは、後述するＧＰＳ部１１５において処理した情報、処理部１０４ａにおいて処理した情報を各部において処理させるための制御を行う。例えば、処理部１０４ａから送信要求があった旨を受信すると、ＧＰＳ電波を受信して自己測位情報及び気象予測に必要な情報を検出するようにＧＰＳ部１１５の制御を行う。また、処理部１０４ａから気象予測結果情報を受信すると、当該気象予測結果情報を表示させるために表示部１０８の制御を行う。
要求送出制御部１０４ｃは、操作部１０７において気象予測地点を指定する操作入力があると、ＧＰＳ予測基地１２１に対して当該地点を含む区域の気象予測結果情報を送信させるための気象予測結果送信要求を送信するように無線送受信部１０３の制御を行う。
【００２２】
ＧＰＳ部１１５はアンテナ１０２を介してＧＰＳ衛星１２２からのＧＰＳ電波を受信し、制御部１０４で処理可能な情報を検出する処理を行うインタフェースとなる装置である。例えば、ＧＰＳ衛星１２２からＧＰＳ電波を受信し、自己測位情報及び気象予測に必要な情報を検出し、当該検出した自己測位情報及び気象予測に必要な情報を通信情報結果処理部１０４ｂに送信する。
【００２３】
無線送受信部１０３はアンテナ１０２を介して電波の届く一定区域内にある最も受信感度の高い基地局１１９に接続し、無線による情報の送受信を行うインタフェースとなる装置である。例えば、無線送受信部１０３はアンテナ１０２を介して電波の届く一定区域内にある最も受信感度の高い基地局１１９に接続し、ＧＰＳ予測基地１２１からの情報を受信し、当該情報を処理部１０４ａに送信する。また、アンテナ１０２を介して電波の届く一定区域内にある最も受信感度の高い基地局１１９に接続し、ＧＰＳ部１１５において受信したＧＰＳ電波から検出された自己測位情報及び気象予測に必要な情報をＧＰＳ予測基地１２１へ送信する。
【００２４】
アンテナ１０２は携帯端末１０１が基地局１１９やＧＰＳ衛星１２２との無線通信を行うためのアンテナであり、外部アンテナに限らず内蔵アンテナも該当する。スピーカ１０５は音声、着信音、警告音等を出力する出力装置である。マイクロホン１０６は音声を入力する入力装置である。操作部１０７は気象予測する地点を指定するための入力等の各種操作に使用する入力装置である。例えば、テンキー、各種ファンクションキー等の他、タッチセンサを有するディスプレイ装置において当該タッチセンサに対応付けられて表示される操作画像も該当する。表示部１０８は気象予測結果情報や携帯端末１０１の動作状態等の各種情報を表示するディスプレイ装置である。例えば、液晶、有機ＥＬ等の表示パネル、タッチセンサを有する表示パネル等が該当する。内部記憶部１０９は音楽データ、画像データ等の各種情報を記憶するために内蔵されているメモリ装置である。例えば、フラッシュメモリ等のリードライト可能な不揮発メモリが該当する。音楽再生処理部１１０は音楽再生に関する各種処理を行う装置である。充電電源制御部１１１は充電制御及び各部の電源制御処理を行う装置である。充電式電池１１２は携帯端末１０１の主電源として電源供給する二次電池であり、充電することにより何度でも電池として使用することができる。非接触通信処理部１１３は非接触通信システムの信号の送受信を行う装置である。カメラ部１１４はＣＭＯＳイメージセンサ等により画像を撮影し、ディジタル画像処理等の各種処理を行う装置である。外部記憶部１１６は音楽データ、画像データ等の各種情報を記憶するためのメモリ装置である。例えば、ＳＤカード等の着脱可能な記憶媒体が該当する。ＤＴＶ部１１７はワンセグ等のディジタルテレビ放送を視聴するための各種処理を行う装置である。
【００２５】
基地局１１９は、図示しないが、通信部、無線通信部、サーチ処理部、要求送出制御部等を備える。
通信部はネットワーク１２４に接続して情報の送受信を行うインタフェースとなる装置である。
無線通信部はアンテナを介して電波の届く一定区域内、例えば半径１００メートル以内にある携帯端末１０１に接続して情報の送受信を行うインタフェースとなる装置である。なお、無線通信部と通信部とは相互接続し、携帯端末１０１とＧＰＳ予測基地１２１がネットワーク１２４を通じて情報の送受信を行うことができるようにする。
サーチ処理部は通信部においてＧＰＳ予測基地１２１からサーチ要求を受信すると、携帯端末１０１の端末識別番号、電話番号等のユーザ情報、携帯端末１０１の位置登録情報等を管理するデータベース、例えばホームロケーションレジスタに接続して、電波の届く一定区域内、例えば半径１００メートル以内にある携帯端末１０１のサーチを行う装置である。
要求送出制御部はサーチ処理部においてサーチされた携帯端末１０１に対して測位情報及び気象予測情報を取得させ、ＧＰＳ予測基地１２１へ送信させるための送信要求を送信するように無線通信部の制御を行う装置である。
【００２６】
ＧＰＳ予測基地１２１は、通信機能を有することにより、複数の観測所からネットワーク１２４を通じて気象予測に必要な観測データを取得し、当該データに基づいて各種の解析処理やデータ管理等を行う高性能コンピュータシステムであり、図示しないが、通信部、要求送出制御部、気象予測処理部、気象予測記録部、気象予測結果送出制御部等を備える。
【００２７】
気象予測処理部は様々な観測データ等を用いて気象予測処理を行う装置である。例えば、通信部において受信した観測データや、携帯端末１０１がＧＰＳ機能を利用して取得した測位情報及び気象予測に必要な情報に基づいて気象予測処理を行う。
ここで、上述の気象予測処理は数値予測により行われる。一般に、数値予測は大気を小領域の要素に分割する要素分割や格子状に分割する格子分割を行い、大気を３次元の計算空間に適合させ、気象予測モデルとして定式化された微分方程式を、大気の状態を表す物理量（例えば、気温、気圧、風速、水蒸気量等）を初期値として計算する手法により行われており、気象予測処理部において行う気象予測処理もこれと同様である。
【００２８】
上述の数値予測では、初期値として様々な観測所等からネットワーク１２４を通じて取得した観測データを使用する。ただし、水蒸気量の初期値については、ＧＰＳ衛星１２２から地上に到達する電波の伝播速度は大気中に含まれる水蒸気量が多いほど遅くなるという性質に着目し、携帯端末１０１の鉛直上方の可降水量として算出される水蒸気データを用いる。
【００２９】
上述の水蒸気データは、ＧＰＳ電波が地上の携帯端末１０１に到達するまでの時間及び測位情報を携帯端末１０１で測定し、ネットワーク１２４を通じて、当該携帯端末１０１で測定した情報と地殻変動の調査用に全国各地に設置されているＧＰＳ受信機のデータとを比較することにより算出される。この水蒸気データを用いることにより、水蒸気量の初期値を詳細にあらわすことができ、気象予測の精度を向上させることができる。
【００３０】
通信部はネットワーク１２４に接続して情報の送受信を行うインタフェースとなる装置である。
要求送出制御部は、携帯端末１０１からの気象予測結果送信要求に応じ又は自発的に、基地局１１９に対して電波の届く一定区域内の携帯端末１０１をサーチさせるためのサーチ要求を送信するように通信部の制御を行う装置である。なお、この要求送出制御部において、上述のサーチ要求のみではなく、基地局１１９においてサーチされた１以上の携帯端末１０１に対して測位情報及び気象予測に必要な情報を取得させ、ＧＰＳ予測基地１２１へ送信させるための送信要求を送信するように通信部の制御を行うようにしても良い。
気象予測記録部は前記気象予測処理部による予測結果を新規の又は更新された気象予測結果情報として記録するデータベースである。
気象予測結果送出制御部は気象予測処理部において予測された気象予測結果情報を気象予測結果送信要求を行った携帯端末１０１へ送信するように通信部の制御を行う。
【００３１】
図１を参照して、本発明の基本的構成に係るシステムの動作について説明する。
まず、携帯端末のユーザ１２３が当該携帯端末１０１の操作部１０７において現在位置を気象予測地点として指定する気象予測操作を行うと、当該携帯端末１０１は電波の届く一定区域内にある最も受信感度の高い基地局１１９に接続し、ネットワーク１２４を経由してＧＰＳ予測基地１２１へ気象予測結果送信要求を送信する。
【００３２】
次いで、ＧＰＳ予測基地１２１は携帯端末１０１から現在位置を気象予測地点として指定する気象予測結果送信要求を受信すると、データベースに当該携帯端末１０１の現在位置を含む区域の気象予測結果情報の記録があるか否かを確認する。
当該携帯端末１０１の現在位置を含む区域の気象予測結果情報の記録があり、かつ、当該気象予測結果情報の記録時からの保持時間が一定時間を経過していない場合には、当該気象予測結果情報を当該携帯端末１０１へ配信する。
【００３３】
当該携帯端末１０１の現在位置を含む区域の気象予測結果情報の記録がない場合又は記録はあるが気象予測結果情報の記録時からの保持時間が所定時間を経過している場合には、ＧＰＳ予測基地１２１は、当該携帯端末１０１の電波の届く一定区域内にある最も受信感度の高い基地局１１９に対して携帯端末１０１をサーチさせるためのサーチ要求を送信する。
なお、上述のように、ＧＰＳ予測基地１２１はサーチ要求のみではなく、当該サーチされた携帯端末１０１に対して測位情報及び気象予測に必要な情報を送信させるための送信要求を送信することとしても良い。
【００３４】
次いで、基地局１１９は少なくともサーチ要求を受信すると、電波の届く一定区域内、例えば半径１００メートル以内にある携帯端末１０１をサーチし、当該サーチされた携帯端末１０１に接続し、送信要求を送信する。
【００３５】
次いで、携帯端末１０１は送信要求を受信すると、ＧＰＳ衛星１２２からのＧＰＳ電波を受信し、自己測位情報及び気象予測に必要な情報を検出し、当該検出した自己測位情報及び気象予測に必要な情報を電波の届く一定区域内にある基地局１１９からネットワーク１２４を経由してＧＰＳ予測基地１２１へ送信する。
【００３６】
次いで、ＧＰＳ予測基地１２１は携帯端末１０１から電波の届く一定区域内にある基地局１１９、ネットワーク１２４を経由して受信した当該携帯端末１０１の測位情報及び気象予測に必要な情報に基づいて気象予測処理を行う。次いで、指定された気象予測地点を含む区域の気象予測結果である気象予測結果情報をデータベースに新規に又は更新して記録するとともに、気象予測結果送信要求をした携帯端末１０１へ当該気象予測結果情報を配信する。
【００３７】
次いで、携帯端末１０１は、受信した気象予測結果情報の編集、加工、変換等の各種処理を行い、例えば図５に示すように、当該処理後の気象予測結果情報を表示部１０８において表示する。これにより、携帯端末のユーザ１２３は現在位置を含む区域の局地的な気象予測結果情報を確認することができる。なお、表示部１０８において気象予測結果情報を表示する以外に、スピーカ１０５から当該気象予測結果情報を音声で知らせても良い。
【００３８】
このように、携帯端末１０１は、上述の構成により、電波の届く一定区域内にある基地局１１９に接続し、ネットワーク１２４を経由して、ＧＰＳ予測基地１２１、他の携帯端末１０１等と通信を行うことができる。また、これとは別にＧＰＳ衛星１２２と通信を行うことができる。
【００３９】
また、携帯端末１０１は、上述の構成により、送信要求を受信すると、ＧＰＳ衛星１２２からのＧＰＳ電波を受信し、自己測位情報及び気象予測に必要な情報を検出し、当該検出した自己測位情報及び気象予測に必要な情報を電波の届く一定区域内にある基地局１１９、ネットワーク１２４を経由してＧＰＳ予測基地１２１へ送信することができる。
【００４０】
また、携帯端末１０１は、上述の構成により、操作部１０７において気象予測地点を指定する気象予測操作が行われると、当該携帯端末１０１は電波の届く一定区域内にある最も受信感度の高い基地局１１９に接続し、ネットワーク１２４を経由してＧＰＳ予測基地１２１へ気象予測結果送信要求を送信することができる。
【００４１】
また、携帯端末１０１は、上述の構成により、ＧＰＳ予測基地１２１からの気象予測結果情報を受信すると、当該気象予測結果情報の編集、加工、変換等の各種処理を行い、当該処理後の気象予測結果情報を表示部１０８において表示することができる。なお、表示部１０８において気象予測結果情報を表示する以外に、スピーカ１０５で当該気象予測結果情報を音声出力しても良い。また、設定により、例えば雨が降りだす前にスピーカ１０５を鳴らし、振動させ、又は表示して知らせるようにしても良い。
【００４２】
また、基地局１１９は、上述の構成により、ネットワーク１２４に接続するとともに、電波の届く一定区域内、例えば半径１００メートル以内にある携帯端末１０１に接続し、携帯端末１０１とネットワーク１２４の通信を中継することができる。
【００４３】
また、基地局１１９は、上述の構成により、サーチ要求を受信すると、電波の届く一定区域内、例えば半径１００メートル以内にある携帯端末１０１をサーチし、送信要求を当該サーチされた携帯端末１０１へ送信することができる。
【００４４】
また、ＧＰＳ予測基地１２１は、上述の構成により、携帯端末１０１からの気象予測結果送信要求に応じ又は自発的に、基地局１１９に対して電波の届く一定区域内、例えば半径１００メートル以内にある携帯端末１０１をサーチさせることができる。
さらに、ＧＰＳ予測基地１２１は、上述の構成により、当該サーチされた携帯端末１０１から、基地局１１９、ネットワーク１２４を経由して送信された当該携帯端末１０１の自己測位情報及び気象予測に必要な情報に基づいて局地的な気象予測を行うことができる。
すなわち、ＧＰＳ予測基地１２１は携帯端末１０１のＧＰＳ機能を利用した遠隔操作により測位情報及び気象予測に必要な情報を受信収集して局地的な気象予測を行うことができる。
【００４５】
また、ＧＰＳ予測基地１２１は、上述の構成により、局地的な気象予測を行い、予測結果を新規の又は更新された気象予測結果情報として記録しておくことができる。
【００４６】
また、ＧＰＳ予測基地１２１は、上述の構成により、局地的な気象予測を行い、予測結果である気象予測結果情報を携帯端末１０１に配信することができる。
【００４７】
なお、ＧＰＳ予測基地１２１は、上述の構成において、サーチ要求のみではなく、サーチ要求を受信した基地局１１９においてサーチされた携帯端末１０１に対して送信要求を送信することとしても良い。また、この場合には、当該サーチされた複数の携帯端末１０１ａ、１０１ｂ、１０１ｃ、１０１ｄ等に対して送信要求を送信しても良い。これにより、気象予測の精度を向上させることができる。
【００４８】
また、ＧＰＳ予測基地１２１は、上述の構成において、定期的に基地局１１９に対してサーチ要求を送信しても良い。これにより、気象予測の精度を向上させることができる。
【００４９】
また、ＧＰＳ予測基地１２１は、上述の構成において、予測結果である気象予測結果情報を更新履歴としてデータベースに記録しても良い。これにより、気象予測の精度を向上させることができる。
【００５０】
したがって、本発明の基本的構成によれば、携帯端末のユーザ１２３は携帯端末１０１において現在位置を気象予測地点として指定する操作入力を行うことにより、現在位置を含む区域の局地的な気象予測結果情報を確認することができる。すなわち、携帯端末のユーザ１２３は現在位置の局地的な気象予測結果情報を取得することができる。
【００５１】
次に、本発明の第１の実施形態について説明する。
図３は、本発明の第１の実施形態に係る構成図であり、図１で説明した基本的構成を拡張したものである。
この第１の実施形態では、日本全国の気象予測をするために基地局１１９ａ、基地局１１９ｂ、基地局１１９ｃ及び基地局１１９ｄが複数配置されており、具体的には、各基地局１１９ａ、１１９ｂ、１１９ｃ、１１９ｄは相当距離を置いて、例えば博多駅（筑紫口）交差点、名古屋駅交差点、大阪駅前交差点及び東京駅中央口交差点に配置されている。
これらの配置場所は、図３ではそれぞれａ地点、ｂ地点、ｃ地点及びｄ地点で示している。
また、これらの基地局１１９ａ、基地局１１９ｂ、基地局１１９ｃ及び基地局１１９ｄは、図１で示した基本的構成と同様に構成されているものであり、ここでは便宜上、同種の符号として分かりやすくするために１１９（ただし、ａｂｃｄで区分している。）を付して表している。
【００５２】
図３に示すように、第１の実施形態に係る気象予測システムは、大概すると、ネットワーク１２４に通信可能に接続されたＧＰＳ予測基地１２１並びにａ地点、ｂ地点、ｃ地点及びｄ地点の各地点に設置された基地局１１９ａ、１１９ｂ、１１９ｃ、１１９ｄと、各基地局１１９ａ、１１９ｂ、１１９ｃ、１１９ｄから電波の届く一定区域内にある携帯端末１０１ａ、１０１ｂ、１０１ｃ、１０１ｄとを備える。
なお、各携帯端末１０１ａ、１０１ｂ、１０１ｃ、１０１ｄは電波の届く一定区域内、例えば半径１００メートル以内にある基地局１１９に無線により接続可能であり、携帯端末１０１が通信しながら移動している場合には最も受信感度の高い基地局１１９ａ、１１９ｂ、１１９ｃ、１１９ｄに接続先を自動的に切り替えることにより通信を続けることができる。
【００５３】
第１の実施形態に係る気象予測システムでは、上述の構成により、携帯端末１０１の操作部１０７において現在位置から相当距離を置いた別の地点を気象予測地点として指定する気象予測操作を行うと、当該携帯端末１０１へＧＰＳ予測基地１２１から当該別の地点を含む区域の局地的な気象予測結果情報が配信される。
【００５４】
図３を参照して、第１の実施形態に係る動作について説明する。
まず、ａ地点近傍の携帯端末のユーザ１２３ａが当該携帯端末１０１ａの操作部１０７においてｂ地点近傍を気象予測地点として指定する気象予測操作を行うと、当該携帯端末１０１ａは電波の届く一定区域内にある最も受信感度の高い基地局１１９ａに接続し、ネットワーク１２４を経由してＧＰＳ予測基地１２１へｂ地点近傍を気象予測地点として指定する気象予測結果送信要求を送信する。
【００５５】
次いで、ＧＰＳ予測基地１２１はａ地点近傍の携帯端末１０１ａからｂ地点近傍を気象予測地点として指定する気象予測結果送信要求を受信すると、データベースにｂ地点を含む区域の気象予測結果情報の記録があるか否かを確認する。
ｂ地点を含む区域の気象予測結果情報の記録があり、かつ、当該気象予測結果情報の記録時からの保持時間が一定時間を経過していない場合には、当該気象予測結果情報をａ地点近傍の携帯端末１０１ａへ配信する。
【００５６】
ｂ地点を含む区域の気象予測結果情報の記録がない場合又は記録はあるが気象予測結果情報の記録時からの保持時間が所定時間を経過している場合には、ＧＰＳ予測基地１２１は、ｂ地点の基地局１１９ｂに対して電波の届く一定区域内にある携帯端末１０１ｂをサーチさせるためのサーチ要求を送信する。
なお、ＧＰＳ予測基地１２１はサーチ要求のみでなく、当該サーチされた携帯端末１０１ｂに対して測位情報及び気象予測に必要な情報を送信させるための送信要求を送信することとしても良い。
【００５７】
次いで、基地局１１９ｂは少なくともサーチ要求を受信すると、電波の届く一定区域内にある携帯端末１０１ｂをサーチし、当該サーチされた携帯端末１０１ｂに接続し、送信要求を送信する。
なお、上述の送信要求については、サーチ要求を受信した基地局１１９ｂが単独で送信することとしても良い。また、ＧＰＳ予測基地１２１が送信することとしても良い。
【００５８】
次いで、携帯端末１０１ｂは送信要求を受信すると、ＧＰＳ衛星１２２からのＧＰＳ電波を受信し、自己測位情報及び気象予測に必要な情報を検出し、当該検出した自己測位情報及び気象予測に必要な情報をｂ地点の基地局１１９ｂからネットワーク１２４を経由してＧＰＳ予測基地１２１へ送信する。
【００５９】
次いで、ＧＰＳ予測基地１２１は携帯端末１０１ｂからｂ地点の基地局１１９ｂ、ネットワーク１２４を経由して受信した当該携帯端末１０１ｂの自己測位情報及び気象予測に必要な情報に基づいてｂ地点を含む区域の気象予測処理を行う。次いで、予測結果であるｂ地点を含む区域の気象予測結果情報をデータベースに記録するとともに、当該気象予測結果情報をａ地点の携帯端末１０１ａへ配信する。
【００６０】
次いで、ａ地点近傍の携帯端末１０１ａは、受信したｂ地点を含む区域の気象予測結果情報の編集、加工、変換等の各種処理を行い、例えば図５に示すように、当該処理後の気象予測結果情報を表示部１０８において表示する。これにより、ａ地点近傍の携帯端末のユーザ１２３ａはｂ地点を含む区域の局地的な気象予測結果情報を確認することができる。なお、表示部１０８においてｂ地点を含む区域の気象予測結果情報を表示する以外に、スピーカ１０５で当該気象予測結果情報を音声で知らせても良い。
【００６１】
このように、第１の実施形態によれば、ａ地点近傍の携帯端末のユーザ１２３ａは当該携帯端末１０１ａにおいてｂ地点近傍を気象予測地点として指定する操作入力を行うことにより、ｂ地点を含む区域の局地的な気象予測結果情報を確認することができる。すなわち、携帯端末のユーザ１２３は現在位置から距離を置いた別の地点の局地的な気象予測結果情報を確認することができる。
【００６２】
また、第１の実施形態によれば、ＧＰＳ予測基地１２１はａ地点近傍の携帯端末１０１ａからｂ地点近傍を気象予測地点として指定する気象予測結果送信要求を受信すると遠隔操作を行い、ｂ地点の基地局１１９ｂから電波の届く一定区域内にある携帯端末１０１ｂのＧＰＳ機能を利用して当該携帯端末１０１ｂの測位情報及び気象予測に必要な情報を受信収集することができる。これにより、気象予測の精度を向上させるために数多くのＧＰＳ基地局１２１を新たに配置せずに済むので、費用や労力を軽減することができる。
【００６３】
なお、第１の実施形態において、基地局１１９はａ地点、ｂ地点、ｃ地点及びｄ地点に設置されたもののみに限らず、例えば、日本各地のｅ地点、ｆ地点、ｇ地点、ｈ地点等にも増設しても良い。これにより、局地的な気象予測の精度を向上させることができる。
【００６４】
次に、本発明の第２の実施形態について図３を参照して説明する。
図４は、本発明の第２の実施形態に係る構成図である。
第２の実施形態は、第１の実施形態と同様に、日本全国の気象予測をするために基地局１１９ａ、基地局１１９ｂ、基地局１１９ｃ及び基地局１１９ｄが複数配置されている。
これらの配置場所は、図４でもそれぞれａ地点、ｂ地点、ｃ地点及びｄ地点で示している。
また、これらの基地局１１９ａ、基地局１１９ｂ、基地局１１９ｃ及び基地局１１９ｄは、第１の実施形態と同様に、便宜上、同種の符号として分かりやすくするために１１９（ただし、ａｂｃｄで区分している。）を付して表している。
ただし、第２の実施形態では、第１の実施形態と異なり、ｃ地点の基地局１１９ｃから電波の届く一定区域内に携帯端末１０１ｃ−１と携帯端末１０１ｃ−２の複数がある。
また、携帯端末１０１ｃ−１と携帯端末１０１ｃ−２は、便宜上、同種の符号として分かりやすくするために１０１（ただし、ｃ−１、ｃ−２で区分している。）を付して表している。
【００６５】
図４に示すように、第２の実施形態に係る気象予測システムは、大概すると、ネットワーク１２４に通信可能に接続されたＧＰＳ予測基地１２１並びにａ地点、ｂ地点、ｃ地点及びｄ地点の各地点に設置された基地局１１９ａ、１１９ｂ、１１９ｃ、１１９ｄと、各基地局１１９ａ、１１９ｂ、１１９ｃ、１１９ｄから電波の届く一定区域内にある携帯端末１０１ａ、１０１ｂ、１０１ｃ−１、１０１ｃ−２、１０１ｄとを備える。
なお、各携帯端末１０１ａ、１０１ｂ、１０１ｃ−１、１０１ｃ−２、１０１ｄは電波の届く一定区域内、例えば半径１００メートル以内にある基地局１１９に接続可能であり、携帯端末１０１が通信しながら移動している場合には最も受信感度の高い基地局１１９ａ、１１９ｂ、１１９ｃ、１１９ｄに接続先を自動的に切り替えることにより通信を続けることができる。
【００６６】
第２の実施形態に係る気象予測システムでは、上述の構成により、携帯端末１０１の操作部１０７において現在位置から相当距離を置いた別の地点を気象予測地点として指定する気象予測操作を行うと、当該携帯端末１０１へＧＰＳ予測基地１２１から当該別の地点を含む区域の局地的な気象予測結果情報が配信される。
【００６７】
また、第２の実施形態に係る気象予測システムでは、上述の構成により、ＧＰＳ予測基地１２１はｃ地点の基地局１１９ｃから電波の届く一定区域内にある携帯端末１０１ｃ−１と携帯端末１０１ｃ−２の複数に対して遠隔操作を行い、各携帯端末１０１ｃ−１、１０１ｃ−２から測位情報及び気象予測に必要な情報を受信収集し、当該情報に基づいて気象予測を行うことができる。
【００６８】
図４を参照して、第２の実施形態に係る動作について説明する。
まず、ａ地点近傍の携帯端末のユーザ１２３ａが当該携帯端末１０１ａの操作部１０７においてｃ地点近傍を気象予測地点として指定する気象予測操作を行うと、当該携帯端末１０１ａは電波の届く一定区域内にある最も受信感度の高い基地局１１９ａに接続し、ネットワーク１２４を経由してＧＰＳ予測基地１２１へｃ地点近傍を気象予測地点として指定する気象予測結果送信要求を送信する。
【００６９】
次いで、ＧＰＳ予測基地１２１はａ地点近傍の携帯端末１０１ａからｃ地点近傍を気象予測地点として指定する気象予測結果送信要求を受信すると、データベースにｃ地点を含む区域の気象予測結果情報の記録があるか否かを確認する。
ｃ地点を含む区域の気象予測結果情報の記録があり、かつ、当該気象予測結果情報の記録時からの保持時間が一定時間を経過していない場合には、当該気象予測結果情報をａ地点近傍の携帯端末１０１ａへ配信する。
【００７０】
ｃ地点を含む区域の気象予測結果情報の記録がない場合又は記録はあるが気象予測結果情報の記録時からの保持時間が一定時間を経過している場合には、ＧＰＳ予測基地１２１は、ｃ地点の基地局１１９ｃに対して電波の届く一定区域内にある１以上の携帯端末をサーチさせるためのサーチ要求を送信する。
なお、上述のように、ＧＰＳ予測基地１２１はサーチ要求のみではなく、当該サーチされた複数の携帯端末、例えば携帯端末１０１ｃ−１と携帯端末１０１ｃ−２の各々に対して測位情報及び気象予測に必要な情報を送信させるための送信要求を送信することとしても良い。
【００７１】
次いで、ｃ地点の基地局１１９ｃは少なくともサーチ要求を受信すると、電波の届く一定区域内にある１以上の携帯端末をサーチする。サーチした結果、携帯端末１０１ｃ−１と携帯端末１０１ｃ−２の複数を検出した場合には、各携帯端末１０１ｃ−１、１０１ｃ−２に接続し、送信要求を送信する。
なお、上述の送信要求については、サーチ要求を受信した基地局１１９ｃが単独で送信することとしても良い。また、ＧＰＳ予測基地１２１が送信することとしても良い。
【００７２】
次いで、各携帯端末１０１ｃ−１、１０１ｃ−２は送信要求を受信すると、ＧＰＳ衛星１２２からのＧＰＳ電波を受信し、自己測位情報及び気象予測に必要な情報を検出し、当該検出した自己測位情報及び気象予測に必要な情報をｃ地点の基地局１１９ｃからネットワーク１２４を経由してＧＰＳ予測基地１２１へ送信する。
【００７３】
次いで、ＧＰＳ予測基地１２１は、各携帯端末１０１ｃ−１、１０１ｃ−２から基地局１１９ｃ、ネットワーク１２４を経由して受信した当該情報に基づいて気象予測処理を行い、予測結果である気象予測結果情報をデータベースに記録するとともに、当該気象予測結果情報をａ地点近傍の携帯端末１０１ａへ配信する。
【００７４】
次いで、ａ地点近傍の携帯端末１０１ａは、受信したｃ地点を含む区域の気象予測結果情報の編集、加工、変換等の各種処理を行い、例えば図５に示すように、当該処理後の気象予測結果情報を表示部１０８において表示する。これにより、ａ地点近傍の携帯端末のユーザ１２３ａはｃ地点を含む区域の局地的な気象予測結果情報を確認することができる。なお、表示部１０８においてｃ地点を含む区域の気象予測結果情報を表示する以外に、スピーカ１０５で当該気象予測結果情報を音声で知らせても良い。
【００７５】
このように、第２の実施形態によれば、ａ地点近傍の携帯端末のユーザ１２３ａは当該携帯端末１０１ａにおいてｃ地点近傍を気象予測地点として指定する操作入力を行うことにより、ｃ地点を含む区域の局地的な気象予測結果情報を確認することができる。すなわち、携帯端末のユーザ１２３は現在位置から距離を置いた別の地点の局地的な気象予測結果情報を確認することができる。
【００７６】
また、第２の実施形態によれば、ＧＰＳ予測基地１２１はａ地点近傍の携帯端末１０１ａからｃ地点近傍を気象予測地点として指定する気象予測結果送信要求を受信すると遠隔操作を行い、ｃ地点の基地局１１９ｃから電波の届く一定区域内にある携帯端末１０１ｃ−１と携帯端末１０１ｃ−２のＧＰＳ機能を利用してこれらから測位情報及び気象予測に必要な情報を受信収集することができる。これにより、気象予測の精度を向上させるために数多くのＧＰＳ基地局１２１を新たに配置せずに済むので、費用や労力を軽減することができる。
【００７７】
また、第２の実施形態によれば、ｃ地点の基地局１１９ｃにおいて携帯端末１０１ｃ−１と携帯端末１０１ｃ−２の複数がサーチされた場合には、ＧＰＳ予測基地１２１は各携帯端末１０１ｃ−１、１０１ｃ−２から受信した測位情報及び気象予測に必要な情報に基づいて気象予測処理を行うので、局地的な気象予測の精度を向上させることができる。
【００７８】
なお、第２の実施形態において、基地局１１９はａ地点、ｂ地点、ｃ地点及びｄ地点に設置されたもののみに限らず、例えば、日本各地のｅ地点、ｆ地点、ｇ地点、ｈ地点等にも増設しても良い。これにより、局地的な気象予測の精度を向上させることができる。
【００７９】
なお、本実施形態では、携帯端末１０１として携帯情報端末に適用した例であるが、携帯電話機、ＰＨＳ等の携帯機器、カーナビシステム等のナビシステム、その他のＧＰＳ電波を受信する機能を有する携帯端末機器及びシステム等にも幅広く適用することができる。
【００８０】
以下、本発明の特徴を付記する。
なお、上記の実施形態の一部又は全部は、以下の付記のようにも記載されうるが、以下には限られない。
【００８１】
（付記１）
図６は、付記１の構成図である。この図に示すように、付記１記載の発明は、
ネットワーク１２４に接続された基地局１１９及びＧＰＳ予測基地１２１と、前記基地局１１９に接続可能な携帯端末１０１とを備えた気象予測システムであって、
前記ＧＰＳ予測基地１２１は、
ネットワーク１２４と接続して情報の送受信を行う通信部２０１と、
前記基地局１１９に対して少なくとも一定区域内の携帯端末１０１をサーチさせるためのサーチ要求を送信するように前記通信部２０１の制御を行う要求送出制御部２０２と、
前記通信部２０１で受信した前記携帯端末１０１の自己測位情報及び気象予測に必要な情報に基づいて局地的な気象予測を行う気象予測処理部２０３とを有し、
前記基地局１１９は、
ネットワーク１２４と接続して情報の送受信を行う通信部３０１と、
一定区域内の携帯端末１０１との情報の送受信を行う無線送受信部３０２と、
前記通信部３０１において前記サーチ要求を受信すると、一定区域内の前記携帯端末１０１のサーチを行うサーチ処理部３０３と、
前記サーチ処理部３０３においてサーチされた１以上の携帯端末１０１に対して測位情報及び気象予測に必要な情報を送信させるための送信要求を送信するように前記無線送受信部３０２の制御を行う要求送出制御部３０４とを有し、
前記携帯端末１０１は、
前記基地局１１９に接続し、前記ＧＰＳ予測基地１２１との情報の送受信を行う無線送受信部４０１と、
ＧＰＳ衛星１２２からのＧＰＳ電波を受信し、自己測位情報及び気象予測に必要な情報の検出を行うＧＰＳ部４０２と、
前記無線送受信部４０１において前記送信要求を受信すると、自己測位情報及び気象予測に必要な情報を検出するよう前記ＧＰＳ部４０２の制御を行うとともに、当該検出された自己測位情報及び気象予測に必要な情報を前記ＧＰＳ予測基地１２１へ送信するように前記無線送受信部４０１の制御を行う通信情報結果処理部４０３とを有すること
を特徴とする気象予測システムである。
【００８２】
（付記２）
前記携帯端末は、
気象予測地点を指定する操作入力が可能な操作部と、
前記操作部において気象予測地点を指定する操作入力があると、前記ＧＰＳ予測基地に対して当該指定地点の気象予測結果情報を送信させるための気象予測送信要求を前記ＧＰＳ予測基地へ送信するように前記無線送受信部の制御を行う要求送出制御部と、
前記無線送受信部において受信した前記気象予測結果情報の表示を行う表示部とを更に有するとともに、
前記通信情報結果処理部は更に前記気象予測結果情報を表示するように前記表示部の制御を行い、
前記ＧＰＳ予測基地は、
前記気象予測結果情報を記録するための気象予測記録部と、
前記気象予測結果情報を前記気象予測送信要求を行った携帯端末へ送信するように前記無線送受信部の制御を行う気象予測結果送出制御部とを有するとともに、
前記要求送出制御部は更に前記気象予測送信要求を受信した場合に、前記気象予測記録部に記録された気象予測結果情報の記録時からの保持時間が所定時間を経過していると判断した場合には、前記基地局に対して少なくともサーチ要求を送信するように前記通信部の制御を行うこと
を特徴とする請求項１に記載の気象予測システムである。
【００８３】
（付記３）
前記ＧＰＳ予測基地は、
前記気象予測記録部が前記気象予測結果情報を更新履歴として記録を行うこと
を特徴とする付記１又は付記２のいずれかに記載の気象予測システムである。
【００８４】
（付記４）
前記ＧＰＳ予測基地は、
定期的に、前記基地局に対して少なくとも前記サーチ要求を送信するように前記通信部の制御を行う要求送出制御部を有すること
を特徴とする付記１乃至付記３のいずれかに記載の気象予測システムである。
【００８５】
（付記５）
前記ＧＰＳ予測基地は、
１以上の基地局に対して少なくとも前記サーチ要求を送信するように前記通信部の制御を行う要求送出制御部を有すること
を特徴とする付記１乃至付記４のいずれかに記載の気象予測システムである。
【００８６】
（付記６）
前記基地局は、
日本各地に複数設けられていること
を特徴とする付記１乃至付記５のいずれかに記載の気象予測システムである。
【００８７】
（付記７）
前記携帯端末は、
前記表示部がタッチセンサを有するディスプレイ装置であり、前記タッチセンサに対応付けられた操作画像の表示を行うとともに、
前記操作部が前記操作画像であること
を特徴とする付記１乃至付記６のいずれかに記載の気象予測システムである。
【００８８】
（付記８）
前記携帯端末は、
前記気象予測結果情報の音声出力を行うスピーカを更に有すること
を特徴とする付記１乃至付記７のいずれかに記載の気象予測システムである。
【００８９】
（付記９）
基地局に接続し、ＧＰＳ予測基地と情報の送受信を行う無線送受信部と、
ＧＰＳ衛星からのＧＰＳ電波を受信し、自己測位情報及び気象予測に必要な情報の検出を行うＧＰＳ部と、
前記無線送受信部において自己測位情報及び気象予測に必要な情報に関する送信要求を受信すると、前記ＧＰＳ部において受信した自己測位情報及び気象予測に必要な情報をＧＰＳ予測基地へ送信するように前記無線送受信部の制御を行う通信情報結果処理部とを有すること
を特徴とする気象予測携帯端末である。
【００９０】
（付記１０）
気象予測位置を指定する操作入力が可能な操作部と、
前記操作部において気象予測地点を指定する操作入力があると、前記ＧＰＳ予測基地に対して当該指定地点の気象予測結果情報を送信させるための気象予測送信要求を前記ＧＰＳ予測基地へ送信するように前記無線送受信部の制御を行う要求送出制御部と、
前記無線送受信部において受信した前記気象予測結果情報の表示を行う表示部とを更に有するとともに、
前記通信情報結果処理部は更に前記気象予測結果情報を表示するように前記表示部の制御を行うこと
を特徴とする付記９に記載の気象予測携帯端末である。
【符号の説明】
【００９１】
１０１、１０１ａ、１０１ｂ、１０１ｃ、１０１ｃ−１、１０１ｃ−２、１０１ｄ    携帯端末（無線送受信部、ＧＰＳ部、通信情報結果処理部）
１０２    アンテナ
１０３    無線送受信部
１０４    制御部
１０４ａ  処理部
１０４ｂ  通信情報結果処理部
１０４ｃ  要求送出制御部
１０５    スピーカ
１０７    操作部
１０８    表示部
１１５    ＧＰＳ部
１１９、１１９ａ、１１９ｂ、１１９ｃ、１１９ｄ    基地局（通信部、無線送受信部、サーチ処理部、要求送出制御部）
１２０    ネットワークサーバ
１２１    ＧＰＳ予測基地（通信部、要求送出制御部、気象予測処理部）
１２２    ＧＰＳ衛星
１２３、１２３ａ    携帯端末のユーザ
１２４    ネットワーク
【図１】
2012242088.tif 000003
【図２】
2012242088.tif 000004
【図３】
2012242088.tif 000005
【図４】
2012242088.tif 000006
【図５】
2012242088.tif 000007
【図６】
2012242088.tif 000008